(57)【要約】【課題】ペーパーの詰め替え作業が行い易くて、しかもペーパーマガジンを載せるためのテーブル等を別途用意せずとも装置本体にペーパーマガジンを精度よく接続することができる画像処理装置を提供する。【解決手段】ペーパーを搬送する搬送機構が搭載されて、搬送機構により搬送されるペーパーに画像処理を施すようにした装置本体と、装置本体にペーパーを供給又は装置本体から送り出されるペーパーを収容するためのペーパーマガジンと、装置本体に接続されて、装置本体とペーパーマガジンとの間でペーパーを受け渡すためのペーパー受渡しユニットとがそれぞれ独立して構成され、ペーパーマガジンには走行輪が備えられ、ペーパー受渡しユニットがペーパーマガジンに対して離脱可能に取り付けられ、装置本体には、ペーパー受渡しユニットの装置本体への接続時に装置本体に対するペーパー受渡しユニットの姿勢を修正するための修正手段が設けられている。【選択図】  図２
2004189381.tif 000002
【特許請求の範囲】
【請求項１】
ペーパーを搬送する搬送機構が搭載されて、搬送機構により搬送されるペーパーに画像処理を施すための装置本体と、
装置本体にペーパーを供給又は装置本体から送り出されるペーパーを収容するためのペーパーマガジンと、
装置本体に接続されて、装置本体とマガジンとの間でペーパーを受け渡すためのペーパー受渡しユニットとがそれぞれ独立して構成され、
ペーパーマガジンには走行輪が備えられ、
ペーパー受渡しユニットがペーパーマガジンに対して離脱可能に取り付けられていることを特徴とする画像処理装置。、
【請求項２】
ペーパー受渡しユニットの装置本体への接続時に装置本体に対するペーパー受渡しユニットの姿勢を修正するための修正手段が設けられていることを特徴とする請求項１に記載の画像処理装置。
【請求項３】
装置本体には、ペーパーの出入口を備えた遮光体が装置本体に対して上下動可能に設けられ、ペーパー受渡しユニットの装置本体への装着時、前記遮光体が、ペーパー受渡しユニットのペーパー出入口に対して追従して動作するようにしていることを特徴とする請求項１または２に記載の画像処理装置。
【請求項４】
ペーパー受渡しユニットを装置本体に対して宙吊り状態で保持するための保持手段が設けられている請求項１または３に記載の画像処理装置。
【発明の詳細な説明】
【０００１】
【発明の属する技術分野】
本発明は、印画紙などのペーパーに画像処理するための画像処理装置に関する。
【０００２】
【従来の技術】
一般に画像をペーパーに焼付けるなどの画像処理を施すための画像処理装置としては、ロール状に巻かれたペーパーを収容するペーパーマガジンと、このマガジン内のペーパーを引き出して搬送するための搬送機構及び搬送機構により搬送されるペーパーに画像を焼き付けるための露光機構を搭載した装置本体とから構成されているが、同一サイズのペーパーを大量に連続して処理する場合、ペーパーの巻量が少ないとペーパーロールを頻繁に補給する必要が生じる。
【０００３】
そこで、例えば巻量の大きなペーパーロール を収納することができるようにした大型の自走式ペーパーマガジンを用いた画像処理装置が提案（特許文献１参照）されており、この装置で用いられるペーパーマガジンには、ペーパーマガジンから装置本体にペーパーを受け渡すためのペーパー受渡しユニットが一体に設けられ、装置本体に設けられる接続口にペーパー受渡しユニットを接続し、例えばペーパーマガジン内に収納されているペーパーをペーパー受渡しユニットを介して装置本体に送り込んで、装置本体内でペーパーに画像の焼付処理を施すようにしている。
【０００４】
【特許文献１】
特開平１０−２０４４７号
【０００５】
【発明が解決しようとする課題】
ところで前述の自走式ペーパーマガジンを利用した画像処理装置では、空のペーパーマガジン内にペーパーを巻き取る作業を行なう場合、受渡しユニットのペーパー出入口を通してペーパーマガジン内に巻き込む必要があるが、受渡しユニットのペーパー出入口には、通常、シャッターなどの遮光機能が備えられていることから、ペーパーをマガジン内まで通す作業が非常に困難であって、前述の作業を暗室内で行なう場合に特に問題となる。
【０００６】
またペーパーマガジンは、通常、使用する複数種類のペーパーに対応して複数台用意されているものであるが、前述のごとく、受渡しユニットをマガジンに一体に設けたものでは、各ペーパーマガジンの製造コストがそれだけ高くなるのは勿論のこと、マガジン自体も大型となって、広い保管場所を確保しなければならない不具合もある。
【０００７】
また更に前述の自走式ペーパーマガジンを用いた画像処理装置では、ペーパーの搬送時に蛇行するのを防止するために、ペーパーマガジンの受渡しユニットを装置本体に対して所定の姿勢で接続する必要があるが、画像処理装置の設置面が波打っていたりすると、正確に接続することが出来なくなる。
【０００８】
そのため従来では、前述の公開公報にも見られるように、装置本体にテーブルを取り付けて、このテーブル上でペーパーマガジンを装置本体に接続するようにしているのであるが、テーブルを装置本体に設けると、オペレータがテーブルに足を引っ掛けるなどの不具合が考えられる。
【０００９】
本発明は以上の実情に鑑みて開発したものであって、目的とするところは、ペーパーの詰め替え作業が行い易くて、しかもペーパーマガジンを載せるためのテーブル等を別途用意せずとも装置本体にペーパーマガジンを精度よく接続することができる画像処理装置を提供するにある。
【００１０】
【課題を解決するための手段】
以上の目的を達成するために、ペーパーを搬送する搬送機構が搭載されて、搬送機構により搬送されるペーパーに画像処理を施すようにした装置本体と、装置本体にペーパーを供給又は装置本体から送り出されるペーパーを収容するためのペーパーマガジンと、装置本体に接続されて、装置本体とペーパーマガジンとの間でペーパーを受け渡すためのペーパー受渡しユニットとがそれぞれ独立して構成され、ペーパーマガジンには走行輪が備えられ、ペーパー受渡しユニットがペーパーマガジンに対して離脱可能に取り付けられていることを特徴とするものである。
【００１１】
請求項２に記載の発明は、請求項１に記載の画像処理装置において、ペーパー受渡しユニットの装置本体への接続時に装置本体に対するペーパー受渡しユニットの姿勢を修正するための修正手段が設けられていることを特徴とするものである。
【００１２】
また請求項３に記載の発明は、請求項１または２に記載の画像処理装置において、装置本体には、ペーパーの出入口を備えた遮光体が装置本体に対して上下動可能に設けられ、ペーパー受渡しユニットの装置本体への装着時、前記遮光体が、ペーパー受渡しユニットのペーパー出入口に対して追従して動作するようにしていることを特徴とするものである。
【００１３】
更に請求項４に記載の発明は、請求項１または３に記載の画像処理装置において、ペーパー受渡しユニットを装置本体に対して宙吊り状態で保持するための保持手段が設けられていることを特徴とするものである。
【００１４】
【発明の実施の形態】
図１に示す画像処理装置は、
ペーパーＰに画像を焼付け処理するための装置本体１と、
ロール状に巻かれた印画紙から成るペーパーＰを格納する送出し用ペーパーマガジン２と、
送出しペーパーマガジン２内のペーパーＰを装置本体１に受け渡すためのペーパー受渡しユニット３と、
装置本体１で画像の焼付け処理が行なわれたペーパーＰをロール状に巻き取って格納するための巻取り用ペーパーマガジン４とがそれぞれ別体に備えられている。
【００１５】
送出し用ペーパーマガジン２は、図５にも示すようにロール状に巻かれたペーパーＰを回転可能に格納するための箱体２１と、この箱体２１の上部開口を閉鎖する蓋体２２とから構成され、箱体２１の下面四隅には走行輪としてのキャスター２３が設けられ、また箱体２１の前壁２１ａの下部には、ペーパーＰの出入口２４が開設されている。
【００１６】
ペーパー受渡しユニット３は、図２にも示すように、縦長としたボックス状のハウジング３１と、このハウジング３１内に組み込まれたペーパー搬出機構３２とから構成されると共に、ハウジング３１の側壁３１ａ下部には送出し用ペーパーマガジン２の出入口２４と連通する連通口３３が、上壁３１ｂにはシャッター機構（図示せず）により開閉されるペーパー搬出口３４がそれぞれ設けられ、ペーパー搬出機構３２を介して送出し用ペーパーマガジン２内のペーパーＰを装置本体１の搬送機構１１に送り込むようにしている。
【００１７】
また以上のペーパー受渡しユニット３は、送出し用ペーパーマガジン２の前壁２１ａ部に、離脱可能に支持されている。
【００１８】
具体的には、図５にも示すように、送出し用ペーパーマガジン２を構成する箱体２１の前壁２１ａには、左右一対の支持杆２５が設けられると共に、支持杆２５の先端には、この支持杆２５の直径よりも大きな直径の裁頭円錐状とした頭部２６が設けられている。
【００１９】
一方、ペーパー受渡しユニット３を構成するハウジング３１の側壁３１ａには、図６にも示すように、頭部２６の直径よりも幅広とした幅広孔部３５ａと、この幅広孔部３５ａの上端に連続して支持杆２５の直径よりも若干幅広で且つ頭部２６の直径よりも幅狭とした幅狭孔部３５ｂとから構成された係合孔３５が設けられている。
【００２０】
そして、ペーパー受渡しユニット３を持ち上げた状態で頭部２６を幅広孔部３５ａ内に挿入した後、受渡しユニット３を降ろして幅狭孔部３５ｂ内に支持杆２５を嵌合させると共に、頭部２６を幅狭孔部３５ｂ内において側壁３１ａに係合させることで、ペーパー受渡しユニット３が送出し用ペーパーマガジン２の前壁２１ａに宙吊り状態に支持されるようにしている。
【００２１】
実施形態では、受渡しユニット３を送出し用ペーパーマガジン２の前壁２１ａに宙吊り状態に支持した時、受渡しユニット３が送出し用ペーパーマガジン２に対して若干のガタつきが備わるようにしている。
【００２２】
装置本体１は、図２にも示すように、ケーシング１０内に、受渡しユニット３を介して送出しペーパーマガジン２から送り込まれてくるペーパーＰを搬送するための搬送機構１１と、搬送機構１１で搬送されるペーパーＰに画像を露光するための露光機構１２と、搬送機構１１で搬送されるペーパーＰを途中でカットするためのカッタ１３等が搭載されている。
【００２３】
露光機構１２は、レーザービーム方式のものが搭載されているが、ＰＬＺＴシャッター方式や液晶シャッター方式、蛍光ビーム方式等、仕様に応じて任意の方式のものを搭載してもよい。
【００２４】
また装置本体１におけるケーシング１０の一側部には、送出し用ペーパーマガジン２に取り付けられたペーパー受渡しユニット３を装填するための入口側装填部１４が、また他側部には、ペーパー巻取り用マガジン４を装填するための出口側装填部１５がそれぞれ設けられている。
【００２５】
入口側装填部１４内の上壁１４ａ部位には、図３にも示すように、ペーパー挿入口５０を供えた遮光体５が、ケーシング１０に対して上下動可能に取り付けられ、且つコイルスプリング５１のバネ力により下方に押し込まれている。
【００２６】
この露光ユニット５の下面両側部位には、図１１にも示すように、ガイドローラ５２が回転自由に設けられ、また露光ユニット５の下面側で且つペーパー挿入口５０近くには、突起５３が突設されており、受渡しユニット３の上面には、図８にも示すように、受渡しユニット３が入口側装填部１４に所定の姿勢で装填された時点で前述のガイドローラ５２が嵌合する嵌合溝３６と前述の突起５３が嵌合する嵌合溝３７が設けられている。
【００２７】
また入口側装填部１４内の相対向する内側壁の一方には、入口側装填部１４に装填されるペーパー受渡しユニット３を他方の内側壁側に向けて押し込んで、ペーパー受渡しユニット３を装置本体１に対して所定の姿勢に修正する修正手段としての押込み機構６が設けられている。
【００２８】
この押し込み機構６は、図３、図４に示すように、装填部１４内の上部と下部にそれぞれ設けられているのであって、押し込みローラ６１を回転自由に支持したブロック６２が備えられ、このブロック６２が、他方の内側壁側に対して近接乃至離間方向に移動可能となるようにケーシング１０に支持され、且つコイルスプリング６３のバネ力により他方の内側壁側に対して近接する方向に付勢されている。
【００２９】
そしてペーパー受渡しユニット３を入口側装填部１４に装填するに伴い、押し込みローラ６１がペーパー受渡しユニット３の外側面に圧接して、コイルスプリング６３のバネ力により押し込みローラ６１を介してペーパー受け渡しユニット３が入口側装填部１４内の他方の内側壁側に押し込まれて、ペーパー受け渡しユニット３が所定の姿勢で入口側装填部１４内に装填されるようにしている。
【００３０】
また搬送機構１１における出口側装填部１５のペーパー搬出口１５ａ近くには、搬送機構１１により搬送されるペーパーＰが蛇行するのを規制するための蛇行規制機構８が設けられている。
【００３１】
この蛇行規制機構８は、図９に示すように、ペーパーガイド部材８０と、このペーパーガイド部材８０の配設位置を変更するための位置変更装置８００とから構成され、ペーパーガイド部材８０は、搬送機構１１を構成する搬送ローラ対１６の駆動ローラ１７部分に設けられている。
【００３２】
搬送ローラ対１６は、既知の通り、駆動ローラ１７と駆動ローラ１７のローラ面に圧接する圧接ローラ１８とから構成され、蛇行規制機構８を構成するペーパーガイド部材８０が駆動ローラ１７の駆動軸１７０に対して回転自由に支持されている。
【００３３】
ペーパーガイド部材８０は、駆動軸１７０に回転自由に支持される筒部８１と、ペーパーＰの幅方向端縁に当接してペーパーＰをガイドするためのガイド用フランジ８２と、筒部８１の長さ方向一端に設けられた連動用フランジ８３とから構成されている。
【００３４】
また位置変更機構８００は、図９に示すように、駆動軸１７０と平行に配設された連動軸８０１と、連動軸８０１に形成された右ねじ部８０２及び左ねじ部８０３にそれぞれ螺合するねじ孔を備えた移動体８０４とから構成され、移動体８０４に設けたコ字状のガイド枠８０５内に連動用フランジ８３を介装し、また連動軸８０１の軸端部に設けた従動ギヤ８０６をモータ８０７の駆動ギヤ８０８に噛み合せて、モータ８０７の駆動により連動軸８０１を正転させることで、左右ガイド部材８０をお互いに近づく方向に移動させ、連動軸８０１を逆回転させることで、左右ガイド部材８０を互いに離れる方向に移動させるようにしている。
【００３５】
巻取り用ペーパーマガジン４は、図１にも示すように、ペーパーＰを収容する箱体４１と、箱体４１に取り付けられたハンドル４２とが備えられ、箱体４１の下面四隅には走行輪としてのキャスター４３が取り付けられている。
【００３６】
この巻取り用ペーパーマガジン４は、保持手段７を介して出口側装填部１５に宙吊り状態で保持されるようにしている。
【００３７】
保持手段７は、図２にも示すように、巻取り用ペーパーマガジン４における箱体４１の底部に設けられた引掛け溝４４が係合可能な係止杆７１と、巻取り用ペーパーマガジン４における箱体４１の上部に設けられたロック杆４５が係合して、巻取り用ペーパーマガジン４を宙吊り状態にロックするロック機構７２とから構成されている。
【００３８】
係止杆７１は、出口側装填部１５の下部に設けられ、ロック機構７２は、出口側装填部１５の上部に設けられている。
【００３９】
ロック機構７２は、図１０に示すように、ロック杆４５に係合可能なロックピン７３と、このロックピン７３をロック杆４５と係合する位置（ロック位置）に付勢させるスプリング７４と、スプリング７４のバネ力に坑してロックピン７３をロック解除位置に動作させてロック解除を行なうための操作レバー７５とが備えられている。
【００４０】
以上の保持手段７に巻取り用ペーパーマガジン４を保持させるには、図１５に示すように、巻取り用ペーパーマガジン４を出口側装填部まで移動させた上で、移動方向後方側に位置するキャスター４３を支点にして、巻取り用ペーパーマガジン４の前側を持ち上げるように傾けて、引掛け溝４４を係止杆７１に引っ掛ける。
【００４１】
続いて、係止杆７１を支点にして、巻取り用ペーパーマガジン４の後部側を持ち上げると、ロック杆４５が、ロックピン７３に設けたカム面７３ａに摺接して、このカム面７３ａを介してロックピン７３がスプリング７４のバネ力に抗して上方に移動し、ロック杆４５がロックピン７３の下端を通過した時点で、ロックピン７３がスプリング７４のバネ力によりロック位置に移動し、これにより図１６に示すように、巻取り用ペーパーマガジン４が装置本体１に対して宙吊り状態に保持されて、巻取り用ペーパーマガジン４のペーパー搬入口４６が出口側装填部１５のペーパー搬出口１５ａに連通する。
【００４２】
尚、巻取り用ペーパーマガジン４を装置本体１から外す場合には、操作レバー７５の操作により、ロックピン７３を図１０において上方に移動させてロック解除位置に位置させれば、巻取り用ペーパーマガジン４の自重により、巻取り用ペーパーマガジン４の後部側が降下して、後部側のキャスター４３が接地し、かかる状態から、巻取り用ペーパーマガジン４の前部側を一旦持ち上げて、引掛け溝４４を係止杆７１から離脱させた上で、巻取り用マガジン４を装置本体１から遠ざかる方向に若干移動させて、傾かせている巻取り用マガジン４を元の状態に戻せばよい。
【００４３】
以上の構成から成る画像処理装置にあっては、巻取り用マガジン４を前記した手順で出口側装填部１５に装填する。
【００４４】
また使用する送出し用ペーパーマガジン２の前部にペーパー受渡しユニット３を取り付けるのであって、具体的には、受渡しユニット３を持ち上げた状態で頭部２６を係合孔３５の幅広孔部３５ａ内に挿入した後、受渡しユニット３を降ろし、係合孔３５の狭孔部３５ｂに支持杆２５を嵌合させると共に頭部２６を側壁３１ａに係合させて、受渡しユニット３を送出し用ペーパーマガジン２の前壁２１ａに宙吊り状態に支持させる。
【００４５】
そして送出しペーパーマガジン２をキャスター２３を介して移動させて、受渡しユニット３を装置本体１の入口側装填部１４内に装填する。
【００４６】
ところで、受渡しユニット３を入口側装填部１４内に挿入するに伴い、押し込み機構６の押し込みローラ６１がペーパー受渡しユニット３の外側面に当接して、コイルスプリング６３のバネ力により押し込みローラ６１を介してペーパー受け渡しユニット３が入口側装填部１４内の他方の内側壁側に押し込まれて、ペーパー受け渡しユニット３が予め設定されている所定の姿勢で入口側装填部１４内に装填されるのであって、この時、ペーパー受渡しユニット３は送出し用ペーパーマガジン２に対して相対移動するので、送出し用ペーパーマガジン２が設置面Ｂに対して斜めになったりすることがない。
【００４７】
また受渡しユニット３を入口側装填部１４内に挿入するに伴い、図１１に示すように、遮光体５のガイドローラ５２が受渡しユニット３における上面のエッジ部位に形成したガイド面３１ｃに当接する。
【００４８】
そして、この状態から更に受渡しユニット３が入口側装填部１４内に押し込まれるに伴い、図１２更には図１３に示すように、ガイドローラ５２を介して遮光体５がコイルスプリング５１のバネ力に抗して上方に持ち上げられ、受渡しユニット３が最終的に所定位置に装填された時点で、図１４に示すように、ガイドローラー５２が嵌合溝３６に、また突起５３が嵌合溝３７にそれぞれ嵌合して、遮光体５の下面がペーパー受渡しユニット３の上面に密着し、ペーパー搬出口３４とペーパー搬入口５０とが確実に接続されるのである。
【００４９】
斯くして、ペーパー受渡しユニット３が装置本体１の入口側装填部１４に対して正確に装填され、ペーパーＰの搬送時、ペーパーＰが蛇行するような不具合を解消することが出来る。
【００５０】
また以上の実施形態では、巻取り用ペーパーマガジン４も出口側装填部１５に対して保持手段７を介して宙吊り状態で保持されて、装置本体１の出口側装填部１５に対して巻取り用ペーパーマガジン４も正確に装填され、設置面Ｂが波うっていたとしても巻取り用ペーパーマガジン４を出口側装填部１５に正確に装填することが出来る。
【００５１】
以上の実施形態では、巻取り用ペーパーマガジン４を保持手段７を介して装置本体１に宙吊り状に保持するようにしたが、これに限定されるものではなく、入口側装填部１５に保持手段７を設け、この保持手段７を介してペーパー受渡しユニット３を送出し用ペーパーマガジン２と共に装置本体１に宙吊り状態に保持するようにしてもよい。
【００５２】
また以上の実施形態では、送出し用ペーパーマガジン２に受渡しユニット３を離脱可能に取り付けるようにしたが、巻取り用ペーパーマガジン４に受渡しユニット３を離脱可能に取り付けるようにしてもよい。
【００５３】
また以上の実施形態では、焼付け処理を行なう画像処理装置に適用したが、これに限定されるものではなく、例えば画像が焼付け処理されたペーパーＰを現像処理するための画像処理装置に適用してもよい。
【００５４】
【発明の効果】
以上のように、請求項１に記載の発明によれば、ペーパーを搬送する搬送機構が搭載されて、搬送機構により搬送されるペーパーに画像処理を施すようにした装置本体と、装置本体にペーパーを供給又は装置本体から送り出されるペーパーを収容するためのペーパーマガジンと、装置本体に接続されて、装置本体とペーパーマガジンとの間でペーパーを受け渡すためのペーパー受渡しユニットとから構成され、ペーパーマガジンには走行輪が備えられ、ペーパー受渡しユニットがペーパーマガジンに対して離脱可能に取り付けられていることにより、ペーパーの詰め替え作業に際して、ペーパーマガジンからペーパー受渡しユニットを取り外して、ペーパーマガジンのペーパー出入口から直接ペーパーをマガジン内に巻き取ることが出来るので、ペーパーの詰め替え作業が行い易い。
【００５５】
また請求項１に記載の発明によれば、ペーパーマガジンに搭載するペーパー受渡しユニットを兼用することが出来るので、保管するペーパーマガジンの保管スペースもそれだけ小さくて済む。
【００５６】
請求項２に記載の発明によれば、請求項１に記載の画像処理装置において、ペーパー受渡しユニットの装置本体への接続時に装置本体に対するペーパー受渡しユニットの姿勢を修正するための修正手段が設けられていることにより、請求項１に記載の発明の効果に加え、ペーパーマガジンを載せるためのテーブル等を別途用意しなくとも、装置本体にペーパー受渡しユニットを精度よく接続することが出来て、ペーパーの搬送時、ペーパーの蛇行を抑制することが出来る。
【００５７】
請求項３に記載の発明は、請求項１または２に記載の画像処理装置において、装置本体には、ペーパーの出入口を備えた遮光体が装置本体に対して上下動可能に設けられ、ペーパー受渡しユニットの装置本体への装着時、前記遮光体が、ペーパー受渡しユニットのペーパー出入口に対して追従して動作するようにしたことにより、請求項１または２に記載の発明の効果に加え、ペーパーマガジン個々に寸法公差や設置面の歪みがあっても、ペーパー受渡しユニットの装置本体への装填時、装置本体とペーパー受渡しユニットとの間の遮光が確実に行なえる。
【００５８】
更に請求項４に記載の発明は、請求項１または３に記載の画像処理装置において、ペーパー受渡しユニットを装置本体に対して宙吊り状態で保持するための保持手段が設けられていることにより、請求項１または３に記載の発明の効果に加え、従来のように装置本体にペーパーマガジンを載せるためのテーブルを別途用意せずとも、装置本体にペーパーマガジンを精度よく接続することができ、オペレータの作業性が向上する。
【図面の簡単な説明】
【図１】本発明にかかる画像処理装置の正面図。
【図２】同、構成図。
【図３】装置本体における入口側装填部の要部を示す斜視図。
【図４】装置本体における入口側装填部の要部を示す斜視図。
【図５】送出し用ペーパーマガジン概略斜視図。
【図６】ペーパー受渡しユニットの側面図。
【図７】ペーパー受渡しユニットの正面図。
【図８】ペーパー受渡しユニットの要部の斜視図。
【図９】蛇行規制機構の概略斜視図。
【図１０】保持手段を構成するロック気候の概略斜視図。
【図１１】ペーパー受渡しユニットを装置本体の入口側装填部に装填する過程を示す説明図。
【図１２】ペーパー受渡しユニットを装置本体の入口側装填部に装填する過程を示す説明図。
【図１３】ペーパー受渡しユニットを装置本体の入口側装填部に装填する過程を示す説明図。
【図１４】ペーパー受渡しユニットを装置本体の入口側装填部に装填した状態を示す説明図。
【図１５】巻取り用ペーパーマガジンを装置本体の出口側装填部に装填する過程を示す説明図。
【図１６】巻取り用ペーパーマガジンを装置本体の出口側装填部に装填した状態を示す説明図。
【符号の説明】
１      装置本体
１１    搬送機構
２      送出し用ペーパーマガジン
２３    キャスター（走行輪）
３      ペーパー受渡し用ユニット
４      巻取り用ペーパーマガジン
５      遮光体
６      押し込み機構（修正手段）
７      保持手段
Ｐ      印画紙
【図１】
2004189381.tif 000003
【図２】
2004189381.tif 000004
【図３】
2004189381.tif 000005
【図４】
2004189381.tif 000006
【図５】
2004189381.tif 000007
【図６】
2004189381.tif 000008
【図７】
2004189381.tif 000009
【図８】
2004189381.tif 000010
【図９】
2004189381.tif 000011
【図１０】
2004189381.tif 000012
【図１１】
2004189381.tif 000013
【図１２】
2004189381.tif 000014
【図１３】
2004189381.tif 000015
【図１４】
2004189381.tif 000016
【図１５】
2004189381.tif 000017
【図１６】
2004189381.tif 000018